(57)【要約】【課題】パネルに装着したときには、十分なシール性を確保することができ、パネルから取り外すときには、どちらの方向へも簡単に取り外せるようにしたグロメットを提供する。【解決手段】パネルＰとワイヤーハーネスＷの間をシールする環状または筒状のグロメット１０において、パネルＰの貫通孔Ｐａに対するグロメット１０の嵌合部１１の周壁を、該周壁内部に確保した空間に流体を導入することにより拡径し、その流体を外部に導出することにより縮径する袋状の構造体として構成した。【選択図】図２
2009016299.tif 000002
【特許請求の範囲】
【請求項１】
ゴムやエラストマー等の弾力性を有する材料により構成され、パネルの貫通孔にワイヤーハーネスを挿通させる際に前記パネルの貫通孔とワイヤーハーネスとの間に装着されることでパネルとワイヤーハーネスの間をシールする環状または筒状のグロメットにおいて、
前記パネルの貫通孔に対するグロメットの嵌合部の周壁を、該周壁内部に確保した空間に流体を導入することにより拡径し、その流体を外部に導出することにより縮径する袋状の構造体として構成したことを特徴とするグロメット。
【請求項２】
請求項１に記載のグロメットであって、
前記空間に対して流体を導入・導出するための栓付きの流体導入出口を設けたことを特徴とするグロメット。
【請求項３】
請求項１または２に記載のグロメットであって、
前記嵌合部の前後に前記貫通孔より大きなフランジ部を形成し、少なくとも一方のフランジ部を、前記嵌合部と同様に、内部の空間に流体を導入することにより拡径し、その流体を外部に導出することにより縮径する袋状の構造体として構成し、前記嵌合部の内部の空間と前記フランジ部の内部の空間を互いに連通させたことを特徴とするグロメット。
【発明の詳細な説明】
【技術分野】
【０００１】
本発明は、パネルの貫通孔にワイヤーハーネスを挿通させる際に、パネルの貫通孔とワイヤーハーネスとの間に装着されることで、パネルとワイヤーハーネスの間をシールするグロメットに関するものである。
【背景技術】
【０００２】
この種のグロメットとして、特許文献１や特許文献２に記載のものが知られている。これらの特許文献１、２に記載されたグロメットは、パネルの貫通孔に大径筒部の凹溝を嵌合させると共に、小径筒部にワイヤーハーネスを挿通させ、ワイヤーハーネスの電線間の隙間にシール用の流体を充填させることで、シール性の向上を図ったものである。
【０００３】
また、別の従来のグロメットとして、図３に示すように、パネルＰの貫通孔Ｐａに嵌合するグロメット１１０の嵌合部１１１の前後に、貫通孔Ｐａより大きなフランジ部１１３、１１４を設け、小径側のフランジ部１１３を貫通孔Ｐａに潜らせることで、嵌合部１１１を貫通孔Ｐａの内周に嵌合させるようにしたものがある。
【特許文献１】特開２００１−２０２８３８号公報
【特許文献２】特開２００５−１５００４８号公報
【発明の開示】
【発明が解決しようとする課題】
【０００４】
ところで、従来のグロメットは、いずれも、パネルの貫通孔に嵌合するグロメット側の部分（図３の例では嵌合部１１１）を、材料自身の弾力性を利用して圧縮変形させながら、貫通孔の内周部に嵌め込むものであったため、いったん嵌め込むと、自由に取り外すことは難しく、例えば、図３のグロメット１１０の場合は、両方のフランジ部１１３、１１４の大きさの関係から、ワイヤーハーネスＷを矢印Ａ方向に引っ張らないと、取り外すことは困難であり、片方からしか取り外し作業ができないという問題があった。
【０００５】
本発明は、上記事情を考慮し、パネルに装着したときには、十分なシール性を確保することができ、パネルから取り外すときには、どちらの方向へも簡単に取り外せるようにしたグロメットを提供することを目的とする。
【課題を解決するための手段】
【０００６】
請求項１の発明は、ゴムやエラストマー等の弾力性を有する材料により構成され、パネルの貫通孔にワイヤーハーネスを挿通させる際に前記パネルの貫通孔とワイヤーハーネスとの間に装着されることでパネルとワイヤーハーネスの間をシールする環状または筒状のグロメットにおいて、前記パネルの貫通孔に対するグロメットの嵌合部の周壁を、該周壁内部に確保した空間に流体を導入することにより拡径し、その流体を外部に導出することにより縮径する袋状の構造体として構成したことを特徴とする。
【０００７】
請求項２の発明は、請求項１に記載のグロメットであって、前記空間に対して流体を導入・導出するための栓付きの流体導入出口を設けたことを特徴とする。
【０００８】
請求項３の発明は、請求項１または２に記載のグロメットであって、前記嵌合部の前後に前記貫通孔より大きなフランジ部を形成し、少なくとも一方のフランジ部を、前記嵌合部と同様に、内部の空間に流体を導入することにより拡径し、その流体を外部に導出することにより縮径する袋状の構造体として構成し、前記嵌合部の内部の空間と前記フランジ部の内部の空間を互いに連通させたことを特徴とする。
【発明の効果】
【０００９】
請求項１の発明によれば、装着時は、まず、パネルの貫通孔の内周にグロメットの嵌合部を位置決めした状態で、同嵌合部の内部の空間に流体を導入することにより、その流体圧によって嵌合部を拡径させ、それにより、パネルにグロメットの嵌合部を押圧接触させて、パネルとグロメット間のシール性を確保することができる。また、取り外し時は、前記流体を外部に導出することにより、パネルの貫通孔の内周部に位置する嵌合部を縮径させることができる。従って、グロメットとパネルの密着を解いて、グロメットをいずれの方向にも容易に取り外すことができる。
【００１０】
請求項２の発明によれば、流体導入出口の栓を外すことで、流体導入出口を介して、嵌合部を膨張させたり収縮させたりする流体を導入・導出することができる。
【００１１】
請求項３の発明によれば、グロメットの嵌合部の前後にフランジ部を設け、その少なくとも一方のフランジ部にも嵌合部と一緒に流体を導入できるようにしたので、フランジ部の膨張によりグロメットとパネルとの密着性を高めることができる。
【発明を実施するための最良の形態】
【００１２】
以下、本発明の実施形態を図面を参照して説明する。
【００１３】
図１は実施形態のグロメットの装着時の状態を示す斜視図、図２は同グロメットを取り外すために嵌合部を、内部に導入していた流体を外に排除して窄めた状態を示す斜視図である。
【００１４】
このグロメット１０は、パネルＰの貫通孔ＰａにワイヤーハーネスＷを挿通させる際に、パネルＰの貫通孔ＰａとワイヤーハーネスＷとの間に装着されることで、パネルＰとワイヤーハーネスＷの間をシールする環状または筒状のものであり、ゴムやエラストマー等の弾力性を有する材料により構成されている。
【００１５】
パネルＰの貫通孔Ｐａに対するグロメットの嵌合部１１の周壁は、内部に流体導入用の空間（図示せず）を確保した袋状の構造体として構成されており、嵌合部１１は、その内部の空間に流体（気体や液体）を導入することにより拡径し、また、その流体を外部に導出することにより縮径するようになっている。そして、拡径したときに、その外側に膨張した周壁が、パネルＰの貫通孔Ｐａの内周縁に押圧密着することで、グロメット１０とパネルＰとの間のシール性を確保するようになっている。
【００１６】
嵌合部１１の前後には、貫通孔Ｐａよりも大きなフランジ部１３、１４が形成されており、一方側の大径のフランジ部１４は、嵌合部１１と同様に、内部の空間に流体を導入することにより拡径し、その流体を外部に導出することにより縮径する作用を持つ袋状の構造体として構成されている。そして、嵌合部１１の内部の空間とフランジ部１４の内部の空間が互いに連通され、フランジ部１４上の適当な位置に、それらの内部の空間に対して流体を導入・導出するための栓付きの導入出口１２が設けられている。
【００１７】
このグロメット１０をパネルＰの貫通孔Ｐａに装着する場合は、まず、パネルＰの貫通孔Ｐａの内部にグロメット１０を挿入し、貫通孔Ｐａの内周部分にグロメットの嵌合部１１を位置決めする。次いで、その状態で、栓付き流体導入出口１２から嵌合部１１の内部の空間およびフランジ部１４の内部に空間に流体を導入する。そうすることにより、その流体圧によって嵌合部１１及びフランジ部１４を膨張・拡径させ、それにより、パネルＰにグロメット１０を押圧接触させる。その結果、パネルＰとグロメット１０間のシール性が確保された状態で、グロメット１０がパネルＰの貫通孔Ｐａに装着される。
【００１８】
一方、グロメット１０をパネルＰから取り外す必要が生じた場合は、栓付き流体導入出口１２から流体を外部に導出する。そうすると、図２に示すように、パネルＰの貫通孔Ｐａの内周部分に位置するグロメットの嵌合部１１が縮径すると共にフランジ部１４が内方に窄む。従って、グロメット１０のパネルＰに対する押圧接触を解除することができて、グロメット１０を矢印Ａ方向またはＢ方向に容易に引き抜くことができるようになる。そのため、解体が容易にできるようになる。
【図面の簡単な説明】
【００１９】
【図１】本発明の実施形態のグロメットの装着時の状態を示す斜視図である。
【図２】同グロメットを取り外すために嵌合部を、内部に導入していた流体を外に排除して窄めた状態を示す斜視図である。
【図３】従来のグロメットの一例を示す斜視図である。
【符号の説明】
【００２０】
１０  グロメット
１１  嵌合部
１２  栓付き流体導入出口
１３  フランジ部
１４  フランジ部
Ｐ  パネル
Ｐａ  貫通孔
【図１】
2009016299.tif 000003
【図２】
2009016299.tif 000004
【図３】
2009016299.tif 000005